(57)【要約】      （修正有）【課題】立体裁断により嵩高性を保持し、充填物の片寄りを無くし、身体密着を高め、保温力のある掛布団を提供する。【解決手段】立体裁断工法によって、楕円矩形の表地２と楕円２辺反転矩形の裏地との間に、前記楕円矩形の表地は長手方向に沿って中央から左右対称に膨らんだたまご曲線４と称する仕切り７をマチ布テープ５で小区画を設け、その各小区画に詰め物を充填して掛布団を構成する。さらに、前記楕円矩形の表地は、四つの角をなす四辺形に楕円が重なり合う形をなし、前記楕円２辺反転矩形の裏地より幅広に形成され、詰め物を充填した状態で、綴じ目は下部の前記楕円２辺反転矩形裏地と直線状の平面を形成するのに対し、前記楕円矩形の表地の横断面形状が曲面ふた型をなす。【選択図】図１
0003168042.tif 000002
【実用新案登録請求の範囲】
【請求項１】
楕円矩形の表地と楕円２辺反転矩形の裏地との間に、前記楕円矩形の表地は長手方向に沿って中央から左右対称に膨らんだたまご曲線と称する仕切りをマチ布テープで小区画を設け、その各小区画に詰め物を充填してなる掛布団において、前記楕円矩形の表地は、四つの角をなす四辺形に楕円が重なり合う形をなし、前記楕円２辺反転矩形の裏地より幅広に形成し、詰め物を充填した状態で、綴じ目は下部の前記楕円２辺反転矩形裏地と直線状の平面を形成するのに対し、前記楕円矩形の表地の横断面形状が曲面ふた型をなしていることを特徴とする掛布団。
【請求項２】
楕円矩形の表地と中地との間およびその中地と楕円２辺反転矩形の裏地との間に、前記楕円矩形の表地は長手方向に沿って中央から左右対称に膨らんだたまご曲線と称する仕切りを上層マチ布テープで小区画を設け、楕円２辺反転矩形の裏地は長手方向に沿って逆たまご曲線の仕切りを下層マチ布テープで小区画を設け、その各小区画に詰め物を充填してなる二層掛布団において、前記楕円矩形の表地は、四つの角をなす四辺形に楕円が重なり合う形をなし、前記楕円２辺反転矩形の裏地より幅広に形成され、詰め物を充填した状態で、綴じ目は下部の前記楕円２辺反転矩形裏地と直線状の平面を形成するのに対し、前記楕円矩形の表地の横断面形状が曲面ふた型をなしていることを特徴とする二層掛布団。
【請求項３】
掛布団を使用する際、前記掛布団の側生地の汚れや破損さらに摩耗に対して保護する為に布団を覆う布団カバーを前記布団カバーのヒモによって前記掛布団に取付ける為の留布において、前記布団カバーを前記掛布団に取付ける為に前記掛布団には四隅と中心から天地左右４カ所の計８カ所にカバーフックが縫い込んであり、このカバーフックの場合は、四つ折り縫いした留布の中央部分に結び目をつけ、幅広く平たいままに前記掛布団に縫い付け前記布団カバーのヒモを通し易いようにしていることを特徴とする掛布団に縫い付けたカバーフック。
【考案の詳細な説明】
【技術分野】
【０００１】    本発明は、掛布団に関するものである。
【背景技術】
【０００２】  周知の通り、布団なるものは古来より寝る道具として、身体の下に敷いて使う敷布団と身体の上から掛ける掛布団によって構成されている。そのいずれも布団を作る元となる生地裁断は古来より表裏一対の同形矩形をなし、表側地及び裏側地の周縁を縫着して形成された袋体であり、前記袋体に詰め物を充填して寝具としての用をなす。【０００３】  敷布団・掛布団共に前記袋体の膨らみは図１４が示すように表裏一対の同形矩形をなしている為に、表側地及び裏側地の綴じ目９は図１５が示すように中央に楕円錐状となって形成される。敷布団に関しては十分なる形体であるが、掛布団は身体に掛けて使用するが故に、ズレて滑り易く、掛布団はその度に中の充填物が動き回るので、使っている間に充填物の片寄りが出来てしまい身体にかかる中央部分から嵩高が減る。さらには楕円錐状である故に敷布団との間で隙間１６が出来易いという難があるので保温性を保つ工夫や改良を施した掛布団はこれまでも多数開発されている。【０００４】  例えば、後出特許文献１には、掛布団において長手方向の中心線を挟んで対称に位置付けられる少なくとも一組の仕切りを襟元側から足元側まで伸ばし、当該一組の仕切りの間隔が足元に近づくに伴って幅狭すれば、使用時に掛布団内に身体形状に合った錐体状の空間が形成されるため、身体の自由度が確保されると共に、保温性も低下しないという刮目すべき知見を得、前記技術的課題を達成したものであると開示されている。【０００５】  また、後出特許文献２には、掛布団構造において、縦横マチ布によって縦横両方向に形成され、頂角が表側地に接する複数個の三角柱室、該縦三角柱室と横三角柱室の交差部に形成された四角錐室、三角柱室に囲まれた空間に形成された表側地側の面が裏側地側の面より大きい面積の台形室とが分画形成する立体的マチ構造を有する保温性と嵩高性とを有する掛布団を得る方法が開示されている。【０００６】  いずれにしても、掛布団の区切り構造に関しては様々な工夫や改良がなされているが、掛布団を作る元となる生地裁断は表裏一対の同形矩形による周縁縫着形成である事は変わりなく綴じ目が中央にくる楕円錐状である故に、ズレたり滑り易さによって生じる嵩高の減少や敷布団との密着度を解決しているとは云い難い。【０００７】  さらに、掛布団を使用する際には前記掛布団の側生地の汚れや破損さらに摩耗といった事から保護する為に布団を覆う布団カバーをヒモによって前記掛布団に取付ける。前記布団カバーを前記掛布団に取付ける為に前記掛布団には四隅と中心から天地左右４カ所の計８カ所にカバーフックが縫い込んである。従来の留布は一本の細いヒモである事が多く、故に前記布団カバーが通しにくいとか切れ易い等に問題がある。
【先行技術文献】
【特許文献】
【特許文献１】特開２００６−３０５２３５
【特許文献２】特開２００７−２０７０３
【考案の概要】
【０００８】
【考案が解決しようとする課題】
【０００９】  解決しようとする問題点は、従来の同一矩形によって綴じ目が中央にくる楕円錐状掛布団であるが故に、ズレや滑り易さによって生じる嵩高の減少や、敷布団に対する弱密着度を解決し、嵩高性を保持し、充填物の片寄りを無くし、身体密着を高め、保温力のある楕円曲面ふた型掛布団を提供する点である。
【課題を解決するための手段】
【００１０】  請求項１に記載の発明は、立体裁断工法によって、楕円矩形の表地と楕円２辺反転矩形の裏地との間に、前記楕円矩形の表地は長手方向に沿って中央から左右対称に膨らんだたまご曲線と称する仕切りをマチ布テープで小区画を設け、その各小区画に詰め物を充填してなる掛布団において、前記楕円矩形の表地は、四つの角をなす四辺形に楕円が重なり合う形をなし、前記楕円２辺反転矩形の裏地より幅広に形成され、詰め物を充填した状態で、綴じ目は下部の前記楕円２辺反転矩形裏地と直線状の平面を形成するのに対し、前記楕円矩形の表地の横断面形状が曲面ふた型をなしていることを主要な特徴とする。【００１１】  請求項２に記載の発明は、立体裁断工法によって、楕円矩形の表地と中地との間およびその中地と楕円２辺反転矩形の裏地との間に、前記楕円矩形の表地は長手方向に沿って中央から左右対称に膨らんだたまご曲線と称する仕切りを上層マチ布テープで小区画を設け、楕円２辺反転矩形の裏地は長手方向に沿って逆たまご曲線の仕切りを下層マチ布テープで小区画を設け、その各小区画に詰め物を充填してなる掛布団において、前記楕円矩形の表地は、四つの角をなす四辺形に楕円が重なり合う形をなし、前記楕円２辺反転矩形の裏地より幅広に形成され、詰め物を充填した状態で、綴じ目が裏地と同一直線状の平面を形成するのに対し、前記楕円矩形の表地の横断面形状が曲面ふた型をなしていることを主要な特徴とする。【００１２】  請求項３に記載の発明は、掛布団を使用する際には前記掛布団の側生地の汚れや破損さらに摩耗といった事から保護する為に布団を覆う布団カバーをヒモによって前記掛布団に取付ける。前記布団カバーを前記掛布団に取付ける為に前記掛布団には四隅と中心から天地左右４カ所の計８カ所にカバーフックが縫い込んである。このカバーフック場合は、四つ折り縫いした留布の中央部分に結び目をつけた事で幅広く平たいままに前記掛布団に縫い付けられるので強度を増し、前記布団カバーのヒモを通し易いように幅広くしていることを特徴する。
【考案の効果】
【００１３】  本発明の楕円曲面ふた型掛布団は、綴じ目が裏地と同一直線状の平面を形成せしめ、表地は曲面ふた型のようにふくらむ事によって、敷布団に対しての密着度を弱くすることなく、嵩高性を保持しながら充填物の片寄りを無くし、身体密着を高め、保温力を保持する利点がある。【００１４】  保温力保持の証明は、ユニチカガーメンテック株式会社リサーチラボ事業部に外部委託し、楕円曲面ふた型掛布団の保温性評価を受けたので別途添付する。
【図面の簡単な説明】
【００１５】
【図１】実施の形態１に関わる掛布団の楕円矩形表地を示した斜視図である。
【図２】図１に示す掛布団の楕円２辺反転矩形裏地を示した斜視図である。
【図３】図１に示す掛布団の完成状態を示した斜視図である。
【図４】図３に示す掛布団に入れた切断線Ａ−Ａ線に沿って切断した断面図である。
【図５】図３に示す掛布団に入れた切断線Ｂ−Ｂ線に沿って切断した断面図である。
【図６】実施の形態２に関わる掛布団の楕円矩形表地の斜視図である。
【図７】図６に示す掛布団の中地の斜視図である。
【図８】図６に示す掛布団の楕円２辺反転矩形裏地の斜視図である。
【図９】図６に示す掛布団の完成状態を示した斜視図である。
【図１０】図９に示す掛布団に入れた切断線Ａ−Ａ線に沿って切断した断面図である。
【図１１】図９に示す掛布団に入れた切断線Ｂ−Ｂ線に沿って切断した断面図である。
【図１２】実施の形態３に関わる掛布団カバー結び目フックの斜視図である。
【図１３】図１２に示す掛布団カバー結び目フックの正面図である。
【図１４】従来の表裏一対の同形矩形をなしている掛布団の斜視図である。
【図１５】図１４に示す掛布団に入れた切断線Ｃ−Ｃ線に沿って切断した断面図である。
【考案を実施するための最良の形態】
【実施例１】
【００１６】  図１は本実施の形態に関わる掛布団の楕円矩形表地を示した斜視図である。図２は図１に示す掛布団の楕円２辺反転矩形裏地を示した斜視図である。図３は図１に示す掛布団の完成状態を示した斜視図である。図４は図３に示す掛布団に入れた切断線Ａ−Ａ線に沿って切断した断面図であり、図５は図３に示す掛布団に入れた切断線Ｂ−Ｂ線に沿って切断した断面図である。【００１７】  これらの図において、符号１は曲面ふた型掛布団を表し、楕円矩形の表地２と楕円２辺反転矩形の裏地３とをたまご曲線４と称する表地マチ布テープ５と裏地マチ布テープ６によって縫合し、小区画８を設けその各小区画に詰め物を充填してなる掛布団である。【００１８】  なお本発明において、楕円矩形の表地２と楕円２辺反転矩形の裏地３は曲面ふた型構造を実現するために裁断寸法が裏地３より表地２の方が長め採寸となっている。【００１９】次に、本実施の形態に係る曲面ふた型掛布団１の完成状態を説明する。【００２０】  図４及び図５が示すように、曲面ふた型掛布団の断面は、縦横どちらにもカーブを描くたまご曲線４と称する表地マチ布テープ５と格子状の均等マス状をした裏地マチ布テープ６が縫合される事によって仕切り７のそれぞれの小区画８が内から外に向かって放射状となり、綴じ目９が下部の裏地３と直線状の平面を形成するのに対し、表地２の横断面形状が曲面ふた型をなしているので、敷布団に対しての密着度を弱くすることなく、嵩高性を保持しながら充填物の片寄りを無くし、身体密着を高め保温力のある掛布団となる。
【実施例２】
【００２１】  図６は本実施の形態に関わる二層掛布団の楕円矩形表地を示した斜視図である。図７は図６に示す二層掛布団の中地の斜視図である。図８は図６に示す二層掛布団の楕円２辺反転矩形裏地を示した斜視図である。図９は図１に示す二層掛布団の完成状態を示した斜視図である。図１０は図９に示す二層掛布団に入れた切断線Ａ−Ａ線に沿って切断した断面図であり、図１１は図９に示す二層掛布団に入れた切断線Ｂ−Ｂ線に沿って切断した断面図である。【００２２】  これらの図において、符号１０は曲面ふた型二層掛布団を表し、楕円矩形の表地２と中地１１との間にたまご曲線４と称する表地マチ布テープ５と裏地マチ布テープ６で縫合し、次に中地１１と楕円２辺反転矩形の裏地３との間に中裏地マチ布テープ１３と逆たまご曲線１２と称する裏地マチ布テープ１４とによって縫合し、小区画８を設け２層を形成し、その各小区画に詰め物を充填してなる二層掛布団である。【００２３】  なお本発明において、楕円矩形の表地２と楕円２辺反転矩形の裏地３は曲面ふた型構造を実現するために裁断寸法が裏地３より表地２の方が長め採寸となっている。【００２４】次に、本実施の形態に係る曲面ふた型二層掛布団２の完成状態を説明する。【００２５】  図１０及び図１１が示すように、曲面ふた型二層掛布団の断面は、楕円矩形の表地２と中地１１との間に縦横どちらにもカーブを描くたまご曲線４と称する表地マチ布テープ５と裏地マチ布テープ６で縫合し、次に中地１１と楕円２辺反転矩形の裏地３との間に中裏地マチ布テープ１３と逆たまご曲線１２と称する２層裏地マチ布テープ１４とによって縫合し、小区画８を設け２層を形成し、綴じ目９が下部の裏地３と直線状の平面を形成するのに対し、表地１の横断面形状が曲面ふた型をなしているので、敷布団に対しての密着度を弱くすることなく、嵩高性を保持しながら充填物の片寄りを無くし、身体密着を高め保温力のある掛布団となる。
【実施例３】
【００２６】  図１２は実施の形態３に関わる掛布団カバーフックの斜視図である。図１３は図１２に示す掛布団カバーフックの正面図である。掛布団カバーを掛布団に取付ける為に掛布団には四隅と中心から天地左右４カ所の計８カ所にカバーフック１５が縫い込んである。カバーフック１５は、四つ折り縫いした留布の中央部分に結び目をつけた事で幅広く平たいままに掛布団に縫い付けられるので強度を増し、幅広く平たいままに掛布団に縫い付け掛布団カバーのヒモを通し易いように掛布団に縫い付けたカバーフック１５である。
【産業上の利用可能性】
【００２７】  表裏一対の同形矩形をなしている従来の掛布団に比べ、本発明の楕円曲面ふた型掛布団は、綴じ目が裏地と同一直線状の平面を形成せしめ、表地は曲面ふた型のようにふくらむ事によって、敷布団に対しての密着度を弱くすることなく、嵩高性を保持しながら充填物の片寄りを無くし、身体密着を高め、保温力を保持するので、この掛布団は人々の健康な生活に貢献できる。
【符号の説明】
【００２８】１    曲面ふた型掛布団
２    楕円矩形表地
３    楕円矩形裏地
４    たまご曲線
５    表地マチ布テープ
６    裏地マチ布テープ
７    仕切り
８    小区画
９    綴じ目
１０  曲面ふた型二層掛布団
１１  中地
１２  逆たまご曲線
１３  中裏地マチ布テープ
１４  ２層裏地マチ布テープ
１５  カバーフック
１６  隙間
Ａ  切断面
Ｂ  切断面
Ｃ  切断面
【図１】
0003168042.tif 000003
【図２】
0003168042.tif 000004
【図３】
0003168042.tif 000005
【図４】
0003168042.tif 000006
【図５】
0003168042.tif 000007
【図６】
0003168042.tif 000008
【図７】
0003168042.tif 000009
【図８】
0003168042.tif 000010
【図９】
0003168042.tif 000011
【図１０】
0003168042.tif 000012
【図１１】
0003168042.tif 000013
【図１２】
0003168042.tif 000014
【図１３】
0003168042.tif 000015
【図１４】
0003168042.tif 000016
【図１５】
0003168042.tif 000017
【手続補正書】
【提出日】平成22年10月22日(2010.10.22)
【手続補正２】
【補正対象書類名】実用新案登録請求の範囲
【補正対象項目名】全文
【補正方法】変更
【補正の内容】
【実用新案登録請求の範囲】
【請求項１】
楕円矩形の表地と楕円２辺反転矩形の裏地との間に、前記楕円矩形の表地は長手方向に沿って中央から左右対称に膨らんだたまご曲線と称する仕切りをマチ布テープで小区画を設け、その各小区画に詰め物を充填してなる掛布団において、前記楕円矩形の表地は、四つの角をなす四辺形に楕円が重なり合う形をなし、前記楕円２辺反転矩形の裏地より幅広に形成し、詰め物を充填した状態で、綴じ目は下部の前記楕円２辺反転矩形裏地と直線状の平面を形成するのに対し、前記楕円矩形の表地の横断面形状が曲面ふた型をなしていることを特徴とする掛布団。
【請求項２】
楕円矩形の表地と中地との間およびその中地と楕円２辺反転矩形の裏地との間に、前記楕円矩形の表地は長手方向に沿って中央から左右対称に膨らんだたまご曲線と称する仕切りを上層マチ布テープで小区画を設け、楕円２辺反転矩形の裏地は長手方向に沿って逆たまご曲線の仕切りを下層マチ布テープで小区画を設け、その各小区画に詰め物を充填してなる二層掛布団において、前記楕円矩形の表地は、四つの角をなす四辺形に楕円が重なり合う形をなし、前記楕円２辺反転矩形の裏地より幅広に形成され、詰め物を充填した状態で、綴じ目は下部の前記楕円２辺反転矩形裏地と直線状の平面を形成するのに対し、前記楕円矩形の表地の横断面形状が曲面ふた型をなしていることを特徴とする二層掛布団。